(57)【要約】【課題】媒体供給装置において、画像形成装置との間に誤って挿入された挿入物を検知する構成を簡略化する。【解決手段】媒体供給装置１は、画像形成装置１００に媒体Ｍを供給する媒体供給装置１であって、この画像形成装置１００のインターロックスイッチ１８０によって傾きを検出される画像形成装置スイッチ板１７０の上方に重なるように延出する媒体供給装置スイッチ板４０を備える。【選択図】図６
2020121861.tif 000002
【特許請求の範囲】
【請求項１】
画像形成装置に媒体を供給する媒体供給装置であって、
前記画像形成装置のインターロックスイッチによって傾きを検出される画像形成装置スイッチ板の上方に重なるように延出する媒体供給装置スイッチ板を備える
ことを特徴とする媒体供給装置。
【請求項２】
前記媒体供給装置スイッチ板は、当該媒体供給装置スイッチ板の先端側に設けられ先端に向かって斜め上方に延びる先端傾斜部を有する
ことを特徴とする請求項１記載の媒体供給装置。
【請求項３】
前記媒体供給装置の上部に配置され、前記媒体供給装置スイッチ板を回転可能に支持する支持部を更に備え、
前記媒体供給装置スイッチ板は、前記媒体供給装置から前記画像形成装置側に突出し、
前記媒体供給装置スイッチ板は、当該前記媒体供給装置スイッチ板の上方への回転を一定量に規制する回転規制部を有する
ことを特徴とする請求項１又は２記載の媒体供給装置。
【発明の詳細な説明】
【技術分野】
【０００１】
本発明は、画像形成装置に媒体を供給する媒体供給装置に関する。
【背景技術】
【０００２】
従来、大容量給紙カセットにおいて、エレベータトレイの下に誤って置かれた用紙を検知することで、エレベータトレイによる部品破壊を防ぐ画像形成装置が提案されている（例えば、特許文献１参照）。
【０００３】
上記のような画像形成装置では、給紙トレイ上の用紙が無くなったことがセンサによって検知されると、給紙トレイは、ホーム位置まで下降を始める。給紙トレイの下方には、スイッチ板が配置されており、給紙トレイとスイッチ板との間に物が挟まると、スイッチ板が下がる。このようにスイッチ板が下がったことがインターロックスイッチによって検知されると、給紙トレイを昇降させる昇降機構への電源供給が停止される。
【先行技術文献】
【特許文献】
【０００４】
【特許文献１】特開平９−８６６８１号公報
【発明の概要】
【発明が解決しようとする課題】
【０００５】
ところで、画像形成装置に連結される媒体供給装置は、例えば画像形成装置の給紙トレイの下方のスペースに配置される。そのため、媒体供給装置と給紙トレイとの間の広範囲に亘って、物が挟まれたことを検知する必要が生じる。
【０００６】
通常、昇降可能な給紙トレイの下部と、この給紙トレイを収容する筐体内部の底面との間には、スイッチ板と、このスイッチ板が下がったことを検知するインターロックスイッチとが配置される。この画像形成装置のインターロックスイッチとは別に、媒体供給装置と給紙トレイとの間に物が挟まれたことを検知するためのインターロックスイッチを配置すると、媒体供給装置の構造が複雑になる。更には、画像形成装置側で媒体供給装置のインターロックスイッチの検出信号を受信する必要も生じる。
【０００７】
本発明の目的は、媒体供給装置において、画像形成装置との間に誤って挿入された挿入物を検知する構成を簡略化することである。
【課題を解決するための手段】
【０００８】
１つの態様では、媒体供給装置は、画像形成装置に媒体を供給する媒体供給装置であって、前記画像形成装置のインターロックスイッチによって傾きを検出される画像形成装置スイッチ板の上方に重なるように延出する媒体供給装置スイッチ板を備える。
【発明の効果】
【０００９】
前記態様によれば、媒体供給装置において、画像形成装置との間に誤って挿入された挿入物を検知する構成を簡略化することができる。
【図面の簡単な説明】
【００１０】
【図１】一実施の形態に係る媒体供給装置、及び画像形成装置を示す斜視図である。
【図２】一実施の形態に係る媒体供給装置、及び画像形成装置の内部構造を示す正面図である。
【図３】一実施の形態に係る媒体供給装置を示す斜視図である。
【図４】一実施の形態における画像形成装置を示す斜視図である。
【図５】一実施の形態における画像形成装置スイッチ板及びインターロックスイッチを示す背面側斜視図である。
【図６】一実施の形態における媒体供給装置スイッチ板と画像形成装置スイッチ板との位置関係を説明するための概略断面図である。
【発明を実施するための形態】
【００１１】
以下、本発明の実施の形態に係る媒体供給装置について、図面を参照しながら説明する。
【００１２】
図１は、一実施の形態に係る媒体供給装置１、及び画像形成装置１００を示す斜視図である。
【００１３】
図２は、媒体供給装置１及び画像形成装置１００の内部構造を示す正面図である。
【００１４】
図３は、媒体供給装置１を示す斜視図である。
【００１５】
図４は、画像形成装置１００を示す斜視図である。
【００１６】
図５は、画像形成装置スイッチ板１７０及びインターロックスイッチ１８０を示す背面側斜視図である。
【００１７】
図６は、媒体供給装置スイッチ板４０と画像形成装置スイッチ板１７０との位置関係を説明するための概略断面図である。
【００１８】
なお、図１〜図６に示す上下、前後、左右の各方向は、説明の便宜上の方向にすぎないが、例えば、上下方向は鉛直方向であり、前後方向及び左右方向は水平方向である。
【００１９】
図１及び図２に示すように、媒体供給装置１は、画像形成装置１００に連結され、図２に示す媒体Ｍを画像形成装置１００に供給する。媒体Ｍは、例えば枚葉紙である。なお、媒体供給装置１としては、画像形成装置１００に一体に備えられる媒体供給装置であってもよい。また、媒体供給装置１と画像形成装置１００とをまとめて印刷システムと呼ぶことができる。換言すると、この印刷システムは、媒体供給装置１と画像形成装置１００とを備える。
【００２０】
図２に示すように、画像形成装置１００は、第１の給紙トレイ１１１と、第２の給紙トレイ１１２と、第３の給紙トレイ１１３と、搬送経路１２１と、複数の搬送ローラ１２２と、印刷部１３０と、吸着搬送部１４０と、排紙トレイ１５０と、筐体１６０とを備える。
【００２１】
また、図５及び図６に示すように、画像形成装置１００は、画像形成装置スイッチ板１７０と、インターロックスイッチ１８０と、２つの弾性部材１９０とを備える。
【００２２】
第１の給紙トレイ１１１は、媒体供給装置１の上方において、画像形成装置１００の筐体１６０の左側面に配置されている。第１の給紙トレイ１１１は、媒体Ｍが積載されるトレイ本体１１１ａと、媒体Ｍの位置を規制する一対のサイドフェンス１１１ｂとを有する。
【００２３】
第１の給紙トレイ１１１は、積載された最上位の媒体Ｍの高さを一定とするために、昇降可能に配置されている。また、第１の給紙トレイ１１１は、図１及び図４に示す開いた状態（使用状態）から、第１の給紙トレイ１１１の下部を回転支点として回転しながら筐体１６０の左側面に収容される。
【００２４】
第２の給紙トレイ１１２及び第３の給紙トレイ１１３は、画像形成装置１００の筐体１６０の内部に配置されている。第１の給紙トレイ１１１、第２の給紙トレイ１１２、及び第３の給紙トレイ１１３には、媒体Ｍが積載される。
【００２５】
搬送経路１２１は、媒体Ｍが搬送される経路である。図２において、搬送経路１２１を、適宜矢印を付して実線で示す。搬送経路１２１は、両面印刷のために媒体Ｍを反転させる反転経路１２１ａを有する。
【００２６】
印刷部１３０は、例えば、印刷に用いられる各色分の図示しないラインヘッド型インクジェットヘッドを有する。なお、印刷部１３０の印刷方式は、インクジェット印刷方式以外の印刷方式であってもよい。
【００２７】
吸着搬送部１４０は、印刷部１３０に対向するように配置されている。搬送部１４０は、吸着した媒体Ｍを搬送ベルトによって搬送する。なお、吸着搬送部１４０は、媒体Ｍを搬送する搬送手段の一例である。
【００２８】
排紙トレイ１５０は、画像形成装置１００の筐体１６０の上部に配置され、印刷済みの媒体Ｍが積載される。
【００２９】
筐体１６０は、印刷部１３０、吸着搬送部１４０、画像形成装置スイッチ板１７０、インターロックスイッチ１８０等を収容する。
【００３０】
図５及び図６に示すように、画像形成装置スイッチ板１７０は、自由端側から順に、第１水平部１７１と、鉛直部１７２と、第２水平部１７３とが一体に設けられた板状部材である。
【００３１】
第１水平部１７１は、第１の給紙トレイ１１１の下方に水平に設けられている。
【００３２】
鉛直部１７２は、第１水平部１７１の右端から鉛直上方に折り曲げられた部分である。
【００３３】
第２水平部１７３は、鉛直部１７２の上端から右側に折り曲げられた部分である。図５に示すように、第２水平部１７３の右端には、２つの支点部１７３ａが右側に突出するように設けられている。この２つの支点部１７３ａは、図６に示す筐体１６０の内部において支持される。このように、画像形成装置スイッチ板１７０は、２つの支点部１７３ａを支点として、第１水平部１７１が上下動可能に配置されている。
【００３４】
インターロックスイッチ１８０は、底面に設けられた図示しないボタンが第１水平部１７１によって上方に押し上げられた状態で正常を表すＯＮ信号を出力する。また、インターロックスイッチ１８０は、第１水平部１７１と第１の給紙トレイ１１１との間に物が挟まることで第１水平部１７１が下降するように画像形成装置スイッチ板１７０が傾くと、上記のボタンの押し上げ状態が解除されるため、異常を表すＯＦＦ信号を出力する。このようにインターロックスイッチ１８０は、画像形成装置スイッチ板１７０の傾きを検出する。
【００３５】
図５に示すように、２つの弾性部材１９０の下端は、第１水平部１７１の前端と後端とに取り付けられている。また、２つの弾性部材１９０の上端は、筐体１６０の内部に設けられた２つの筐体内部部材１６１に固定されている。
【００３６】
２つの弾性部材１９０は、例えば引っ張りバネである。２つの筐体内部部材１６１は、筐体１６０の内部に移動不能に固定されているため、弾性部材１９０は、第１水平部１７１を上方に持ち上げるように付勢する。これにより、上述のように、第１水平部１７１がインターロックスイッチ１８０のボタンを上方に押し上げ、インターロックスイッチ１８０が正常を表すＯＮ信号を出力する。
【００３７】
なお、上述の画像形成装置１００の構成はあくまで一例であり、インターロックスイッチ１８０と、このインターロックスイッチ１８０によって傾きを検出される画像形成装置スイッチ板１７０とを備えるものであれば適宜変更可能である。また、インターロックスイッチ１８０及び画像形成装置スイッチ板１７０の配置位置や形状も適宜変更可能である。
【００３８】
図２に示すように、媒体供給装置１は、供給トレイ１０と、繰り出しローラ２１，２２と、筐体３０とを備える。また、図３に示すように、媒体供給装置１は、媒体供給装置スイッチ板４０と、２つの支持部５０とを備える。
【００３９】
図２に示すように、供給トレイ１０には、媒体Ｍが積載される。
【００４０】
２つの繰り出しローラ２１，２２のうち一方の繰り出しローラ２１は、供給トレイ１０に積載された最上位の媒体Ｍを繰り出し、他方の繰り出しローラ２２は、繰り出しローラ２１によって繰り出された媒体Ｍを、画像形成装置１００に向けて搬送する。なお、繰り出しローラ２１，２２は、繰り出し部の一例である。この繰り出し部としては、繰り出しベルトなどであってもよい。
【００４１】
筐体３０は、供給トレイ１０や、この供給トレイ１０に積載される媒体Ｍなどを収容する。
【００４２】
図３及び図６に示すように、媒体供給装置スイッチ板４０は、先端傾斜部４１と、第１水平部４２と、傾斜部４３と、第２水平部４４と、回転規制部４５と、２つの張り出し部４６とが一体に設けられた板状部材である。
【００４３】
先端傾斜部４１は、媒体供給装置スイッチ板４０の先端側（自由端側）である右側に設けられ、先端に向かって斜め上方に延びる部分である。先端傾斜部４１は、媒体供給装置１が画像形成装置１００に連結される際に、画像形成装置スイッチ板１７０の第１水平部１７１の先端に接触しながら乗り上げることができるようにするためには、第１水平部１７１の高さと同一高さに設けられているとよい。
【００４４】
第１水平部４２は、先端傾斜部４１の左端から水平に折り曲げられた部分である。
【００４５】
傾斜部４３は、第１水平部４２から左側に向かって斜め上方に延びる部分である。
【００４６】
第２水平部４４は、傾斜部４３の左端から水平折り曲げられた部分である。
【００４７】
回転規制部４５は、第２水平部４４の左端から鉛直下方に折り曲げられた部分である。図６に示すように、回転規制部４５の下端と筐体３０の上面との間には、高さ方向に隙間Ｇが設けられている。回転規制部４５は、支持部５０を挟んで先端傾斜部４１とは反対側（左側）に設けられているため、先端傾斜部４１が持ち上がるように媒体供給装置スイッチ板４０が上方に一定量以上回転すると筐体３０の上面に接触する。これにより、回転規制部４５は、媒体供給装置スイッチ板４０の上方への回転を一定量に規制する。
【００４８】
２つの張り出し部４６は、第２水平部４４の前端及び後端から鉛直下方に折り曲げられた部分である。２つの張り出し部４６には、前後方向に延びる２つの支持部５０が貫通している。すなわち、一方の張り出し部４６には一方の支持部５０が貫通し、他方の張り出し部４６には他方の支持部５０が貫通している。２つの支持部５０は、媒体供給装置スイッチ板４０を回転可能に支持する。なお、２つの支持部５０のそれぞれは、上部のみ筐体３０から上方に突出するように配置されている。
【００４９】
先端傾斜部４１、第１水平部４２、及び傾斜部４３は、媒体供給装置スイッチ板４０に下方に窪んだ凹部を形成している。この凹部によって、媒体供給装置スイッチ板４０は、図６に示す第１の給紙トレイ１１１のトレイ本体１１１ａとの干渉を回避することができる。
【００５０】
図６に示すように、媒体供給装置スイッチ板４０は、先端傾斜部４１の全体及び第１水平部４２の一部において、媒体供給装置１（筐体３０）から画像形成装置１００側である右側に突出している。また、媒体供給装置スイッチ板４０は、先端傾斜部４１の全体及び第１水平部４２の一部において、画像形成装置スイッチ板１７０の第１水平部１７１の上方に重なるように延出している。媒体供給装置スイッチ板４０と画像形成装置スイッチ板１７０とは接触していなくともよいが、媒体供給装置スイッチ板４０と画像形成装置スイッチ板１７０との高さ方向の隙間は、狭いことが望ましい。
【００５１】
以上説明した本実施の形態では、媒体供給装置１は、画像形成装置１００に媒体Ｍを供給する媒体供給装置１であって、画像形成装置１００のインターロックスイッチ１８０によって傾きを検出される画像形成装置スイッチ板１７０の上方に重なるように延出する媒体供給装置スイッチ板４０を備える。
【００５２】
これにより、媒体供給装置スイッチ板４０と画像形成装置１００（第１の給紙トレイ１１１）との間に誤って挿入物（媒体Ｍ等）が挿入されると、媒体供給装置スイッチ板４０が下降し、それに伴い画像形成装置スイッチ板１７０も下降する。これにより、画像形成装置スイッチ板１７０の傾きを検出するインターロックスイッチ１８０によって、媒体供給装置スイッチ板４０の傾きを検出することができる。このように、媒体供給装置スイッチ板４０と画像形成装置１００との間に挿入物が挟まったことを、媒体供給装置１にインターロックスイッチを配置せずに検知することができる。なお、画像形成装置１００は、媒体供給装置１ではなく、画像形成装置１００のインターロックスイッチ１８０から検出信号を取得することができるため、媒体供給装置１からの検出信号の受信も不要となる。よって、本実施の形態によれば、媒体供給装置１において、画像形成装置１００との間に誤って挿入された挿入物を検知する構成を簡略化することができる。
【００５３】
また、本実施の形態では、媒体供給装置スイッチ板４０は、この媒体供給装置スイッチ板４０の先端側に設けられ先端に向かって斜め上方に延びる先端傾斜部４１を有する。これにより、例えば、媒体供給装置１が画像形成装置１００に連結される際に、媒体供給装置スイッチ板４０の先端傾斜部４１が画像形成装置スイッチ板１７０の第１水平部１７１の先端に接触したまま画像形成装置１００に接近すると、媒体供給装置スイッチ板４０が持ち上がりながら第１水平部１７１の上方に接触した状態で重なる。そのため、媒体供給装置スイッチ板４０上に誤って挿入された挿入物によって媒体供給装置スイッチ板４０が下降する際に、同時に画像形成装置スイッチ板１７０も下降するため、媒体供給装置スイッチ板４０と画像形成装置スイッチ板１７０との間に高さ方向の隙間がある場合と比較して、検知精度を高めることができる。
【００５４】
また、本実施の形態では、媒体供給装置１は、この媒体供給装置１の上部に配置され、媒体供給装置スイッチ板４０を回転可能に支持する支持部５０，５０を更に備え、媒体供給装置スイッチ板４０は、媒体供給装置１から画像形成装置１００側に突出する。このように、媒体供給装置スイッチ板４０は、媒体供給装置１（筐体３０）の上部から画像形成装置１００側に突出するように延出するため、媒体供給装置１の上部と画像形成装置１００（第１の給紙トレイ１１１）との間に誤って挿入された挿入物を検知することができる。
【００５５】
また、本実施の形態では、媒体供給装置スイッチ板４０は、この媒体供給装置スイッチ板４０の上方への回転を一定量に規制する回転規制部４５を有する。これにより、媒体供給装置スイッチ板４０が上方へ回転することで画像形成装置スイッチ板１７０との間隔が広くなることに起因して、媒体供給装置１の上部と画像形成装置１００（第１の給紙トレイ１１１）との間に誤って挿入された挿入物が検知されにくくなることを防止することができる。
【００５６】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００５７】
［付記１］
画像形成装置に媒体を供給する媒体供給装置であって、
前記画像形成装置のインターロックスイッチによって傾きを検出される画像形成装置スイッチ板の上方に重なるように延出する媒体供給装置スイッチ板を備える
ことを特徴とする媒体供給装置。
【００５８】
［付記２］
前記媒体供給装置スイッチ板は、当該媒体供給装置スイッチ板の先端側に設けられ斜め上方に延びる先端傾斜部を有する
ことを特徴とする付記１記載の媒体供給装置。
【００５９】
［付記３］
前記媒体供給装置の上部に配置され、前記媒体供給装置スイッチ板を回転可能に支持する支持部を更に備え、
前記媒体供給装置スイッチ板は、前記媒体供給装置から前記画像形成装置側に突出し、
前記媒体供給装置スイッチ板は、当該前記媒体供給装置スイッチ板の上方への回転を一定量に規制する回転規制部を有する
ことを特徴とする付記１又は２記載の媒体供給装置。
【符号の説明】
【００６０】
１  媒体供給装置
１０  供給トレイ
２１，２２  繰り出しローラ
３０  筐体
４０  媒体供給装置スイッチ板
４１  先端傾斜部
４２  第１水平部
４３  傾斜部
４４  第２水平部
４５  回転規制部
４６  張り出し部
５０  支持部
１００  画像形成装置
１１１  第１の給紙トレイ
１１１ａ  トレイ本体
１１１ｂ  サイドフェンス
１１２  第２の給紙トレイ
１１３  第３の給紙トレイ
１２１  搬送経路
１２１ａ  反転経路
１２２  搬送ローラ
１３０  印刷部
１４０  吸着搬送部
１５０  排紙トレイ
１６０  筐体
１６１  筐体内部部材
１７０  画像形成装置スイッチ板
１７１  第１水平部
１７２  鉛直部
１７３  第２水平部
１７３ａ  支点部
１８０  インターロックスイッチ
１９０  弾性部材
Ｇ  隙間
Ｍ  媒体
【図１】
2020121861.tif 000003
【図２】
2020121861.tif 000004
【図３】
2020121861.tif 000005
【図４】
2020121861.tif 000006
【図５】
2020121861.tif 000007
【図６】
2020121861.tif 000008